(57)【要約】【課題】煩雑な操作を行うことなく且つ少ない消費電力で、確実にプライバシーを守る。【解決手段】筺体(１)と、上記筺体(１)に設けられて外部からの接触を検知して検知信号を出力するセンサ(５)と、上記筺体(１)に内蔵されて周囲を撮像するインカメラ(６)と、予め登録された人物の顔の特徴画像データを格納する特徴格納部(８)と、上記インカメラ(６)で撮像された顔画像と上記特徴格納部(８)に格納された特徴画像データとに基づいて上記インカメラ(６)で撮像された顔の認証を行う認証部(７)と、アイコンおよびメッセージを含む表示情報を表示画面に表示する表示部(１１)と、上記センサ(５)からの検知信号および上記表示画面の表示状態の少なくとも何れか一つに基づいて、上記インカメラ(６)および上記認証部(７)を制御して操作者の顔の認証を行う認証制御部(１０)とを備える。【選択図】図２
2014110009.tif 000002
【特許請求の範囲】
【請求項１】
筺体と、
上記筺体に設けられて外部からの接触を検知して検知信号を出力するセンサと、
上記筺体に内蔵されて周囲を撮像するインカメラと、
予め登録された人物の顔の特徴画像データを格納する特徴格納部と、
上記インカメラで撮像された顔画像と上記特徴格納部に格納された特徴画像データとに基づいて、上記インカメラで撮像された顔の認証を行う認証部と、
アイコンおよびメッセージ等を含む表示情報を表示画面に表示する表示部と、
上記センサからの検知信号および上記表示画面の表示状態の少なくとも何れかに基づいて、上記インカメラおよび上記認証部を制御して、操作者の顔の認証を行う認証制御部と
を備えたことを特徴とする携帯端末装置。
【請求項２】
請求項１に記載の携帯端末装置において、
上記認証制御部は、上記センサからの検知信号が、上記センサへの接触を表す信号である場合、あるいは、上記センサへの接触の仕方が変化したことを表す信号である場合に、操作者の顔の認証を行うようになっている
ことを特徴とする携帯端末装置。
【請求項３】
請求項１に記載の携帯端末装置において、
上記認証制御部は、上記センサからの検知信号が上記センサへの非接触を表す信号であって、且つ上記表示画面が表示状態である場合に、操作者の顔の認証を行うようになっている
ことを特徴とする携帯端末装置。
【請求項４】
請求項１に記載の携帯端末装置において、
上記認証制御部は、上記センサからの検知信号が上記センサへの非接触を表す信号であって、且つ上記表示画面が非表示状態から表示状態になった場合に、操作者の顔の認証を行うようになっている
ことを特徴とする携帯端末装置。
【請求項５】
請求項１から請求項４までの何れか一つに記載の携帯端末装置において、
上記認証制御部は、上記認証部の認証結果が不良の場合には、上記表示部を制御して、上記表示画面の状態を上記認証結果に応じた状態にするようになっている
ことを特徴とする携帯端末装置。
【発明の詳細な説明】
【技術分野】
【０００１】
この発明は、少ない消費電力でプライバシーを確実に守ることが可能な携帯端末装置に関する。
【背景技術】
【０００２】
携帯型電子機器は、簡単に持ち運ぶことができるため、操作中に他人によって奪われたり、席を外した隙に他人によって利用されたりする可能性がある。そのため、プライバシー保護が重要であり、認証機能やロック機能がある。
【０００３】
このような認証機能やロック機能を有する携帯型電子機器として、ＷＯ０７/０９１４３６(特許文献１)に開示された携帯端末がある。この携帯端末は、ヒンジ部を介して折り畳み可能に構成された上部筺体と下部筺体とを有し、上記下部筺体におけるユーザが持つ際に触れる裏面側部や側面に、タッチセンサを備えている。
【０００４】
そして、ユーザの手が上記タッチセンサに接触している間は、通常動作を行うことができる。これに対し、ユーザの手が上記タッチセンサから一定時間離れるとロックモード状態に移行する。その後に再び上記タッチセンサへの接触があり、この接触が一定時間継続すると暗証番号による認証処理等のロックモード解除処理が実行される。こうして、上記ロックモード解除処理が成功すると、通常時の制御に移行する。
【０００５】
プライバシー保護の観点から、例えばパスコードによるロック機能は一般的な手段である。しかしながら、携帯端末の操作中にふと上記端末を机の上等に置いた場合には、表示部に表示された状態であって且つロックが解除された状態であり、他人に見られてしまう可能性がある。
【０００６】
また、上記特許文献１に開示された従来の携帯端末においては、ユーザが一旦上記携帯端末から離れて再度操作しようとした場合には、例え本人であっても上記ロックモード解除処理が求められるため、煩雑であるという問題がある。さらに、ロックモード状態に移行するためには上記タッチセンサへの非接触状態が一定時間以上続く必要があるので、突然携帯端末を奪われた場合等には、ロック機能がうまく機能しない場合があるという問題もある。
【０００７】
また、近年の携帯端末装置は、大画面,高精細表示および高機能により電力を多く消費する傾向があり、消費電力をより少なくすることが求められている。例えば、指紋センサ機能やカメラ機能によるユーザ認証を常時起動させることは、プライバシーを確実に守るためには有効な手段ではあるが、常時ユーザ認証を行うためには消費電力が大きくなるので、消費電力の間点から問題がある。
【先行技術文献】
【特許文献】
【０００８】
【特許文献１】ＷＯ０７/０９１４３６
【発明の概要】
【発明が解決しようとする課題】
【０００９】
そこで、この発明の課題は、煩雑な操作を行うことなく、且つ少ない消費電力で、確実にプライバシーを守ることが可能な携帯端末装置を提供することにある。
【課題を解決するための手段】
【００１０】
上記課題を解決するため、この発明の携帯端末装置は、
筺体と、
上記筺体に設けられて外部からの接触を検知して検知信号を出力するセンサと、
上記筺体に内蔵されて周囲を撮像するインカメラと、
予め登録された人物の顔の特徴画像データを格納する特徴格納部と、
上記インカメラで撮像された顔画像と上記特徴格納部に格納された特徴画像データとに基づいて、上記インカメラで撮像された顔の認証を行う認証部と、
アイコンおよびメッセージ等を含む表示情報を表示画面に表示する表示部と、
上記センサからの検知信号および上記表示画面の表示状態の少なくとも何れかに基づいて、上記インカメラおよび上記認証部を制御して、操作者の顔の認証を行う認証制御部と
を備えたことを特徴としている。
【発明の効果】
【００１１】
以上より明らかなように、この発明によれば、外部からの上記センサへの接触を表す検知信号および上記表示画面の表示状態の少なくとも何れかに基づいて、上記認証部による顔認証を行うので、本携帯端末装置のロック機能を掛けることなく机上に放置された場合や、ロック機能を掛ける間もなく他人の手に渡った場合には、操作者がユーザであるか否かを確認することができる。したがって、操作者の顔の確認結果が不良である場合には、上記表示画面の状態を「認識不良」に応じた状態にすることが可能になる。
【００１２】
すなわち、この発明によれば、本携帯端末装置のロック機能を掛けることなく机上に放置された場合や、ロック機能を掛ける間もなく他人の手に渡った場合であっても、煩雑な操作を行うことなく、ユーザ以外の人が本携帯端末装置の表示画面の表示内容を見たり、アプリケーションを起動させたりすることを防止して、確実にプライバシーを守ることができる。
【００１３】
その際に、上記認証部による顔の認証は、上記センサからの検知信号および上記表示画面の表示状態の少なくとも何れかに基づいて行うので、上記認証部を常時起動させる必要はなく、消費電力の低減を図ることができる。
【図面の簡単な説明】
【００１４】
【図１】この発明の携帯端末装置における外観図である。
【図２】図１に示す携帯端末装置の機能構成を示すブロック図である。
【図３】ユーザ認証処理動作のフローチャートである。
【図４】「認証不良処理」におけるタッチパネルの表示例を示す図である。
【図５】タッチパターン変化検出処理のフローチャートである。
【図６】本携帯端末装置がユーザＡからユーザＢへ渡る様子を示す図である。
【図７】図３とは異なるユーザ認証処理動作のフローチャートである。
【図８】図３および図７とは異なるユーザ認証処理動作のフローチャートである。
【図９】図３,図７および図８とは異なるユーザ認証処理動作のフローチャートである。
【図１０】認証状態に応じて表示デバイスに表示される表示例を示す図である。
【発明を実施するための形態】
【００１５】
以下、この発明を図示の実施の形態により詳細に説明する。
【００１６】
・第１実施の形態
図１は、本第１実施の形態の携帯端末装置における外観図である。
【００１７】
本携帯端末装置は、スマートフォン(商品名)であり、図１に示すように、筺体１と、この筺体１の表面に配置されるタッチパネル２とを有している。
【００１８】
上記タッチパネル２は、表示機能と入力機能とを有し、タッチパネル２に表示されるアイコン等のタッチキー(以下、ソフトキーという場合もある)を、指でタッチすることにより、操作可能となっている。タッチパネル２の下側には通話用マイク３が配置され、タッチパネル２の上側には通話用スピーカ４が配置されている。また、通話用スピーカ４の横にはインカメラ６(レンズのみを表示)が内蔵され、タッチパネル２の向かって右側の側面にはタッチパネル２に沿って延在するタッチ式の側面センサ５が設置されている。
【００１９】
図２は、図１に示す携帯端末装置の機能構成を示すブロック図である。図２において、本携帯端末装置は、タッチパネル２,側面センサ５,インカメラ６,認証部７,記憶部８,通信部９および制御部１０を備えている。
【００２０】
上記タッチパネル２は、表示機能と入力機能とを有するもので、例えばＬＣＤ(Liquid Crystal Display：液晶ディスプレイ)パネル等の上記表示部としての表示デバイス１１と透明の位置入力デバイス１２とが積層されて構成され、表示デバイス１１の表示内容が位置入力デバイス１２を通して見えるようになっている。そして、表示デバイス１１には、ソフトウェアキーボードや入力ガイドやアイコン等が表示される。
【００２１】
上記センサとしての側面センサ５は、外部からの接触・非接触を検知して検知信号を出力する。後に詳述するように、側面センサ５からの検知信号に基づいて、本携帯端末装置のロックオン処理が行われる。ここで、側面センサ５は筺体１の右側面に設置されているので、本携帯端末装置の側面を包み込むように持った操作者の手の一部(指等)が常に側面センサ５に触れた状態になっている。
【００２２】
上記インカメラ６は、本携帯端末装置に内蔵されたカメラであり、操作者の顔認証の際に使用される。認証部７は、インカメラ６で撮像された顔画像から抽出された特徴を表す顔面画像データと、記憶部８に記憶されたユーザの上記顔面画像データとを比較することによって、本携帯端末装置のユーザ認証(顔認証)を行う。その場合、インカメラ６を用いた顔認証を常時行っていると消費電力が高くなる。そこで、本実施の形態においては、必要なタイミングでインカメラ６の起動と認証部７による顔認証とを行って、省電力化を図るようにしている。
【００２３】
上記記憶部８は、各種機能を実行するためのプログラムや上記ユーザの顔画像から抽出された特徴の画像データ(上記顔面画像データ)を含む種々のデータ情報を記憶する。通信部９は、無線装置(図示せず)を介して、電話局等と信号を送受する。
【００２４】
上記制御部１０は、タッチパネル２の位置入力デバイス１２,マイク３,側面センサ５,インカメラ６,認証部７,記憶部８,通信部９等から信号を受け、種々の処理を行って、タッチパネル２の表示デバイス１１,スピーカ４,記憶部８,通信部９等に信号を出力する。
【００２５】
すなわち、本実施の形態においては、上記特徴格納部を記憶部８で構成し、上記認証制御部を制御部１０で構成しているのである。
【００２６】
以下、上記構成の携帯端末装置におけるユーザ認証処理動作について詳細に説明する。
【００２７】
図３は、上記制御部１０の制御の下に実行されるユーザ認証処理動作のフローチャートである。このフローチャートは、机の上等に一旦置かれてタッチパネル２の表示画面が消えた状態の本携帯端末装置を、ユーザ等が手にした場合のユーザ認証処理動作を示す。
【００２８】
ステップＳ1で、上記側面センサ５からの検知信号に基づいて、側面センサ５に対する接触(以下、側面センサ入力と言う)が検出されたか否かが判別される。その結果、検出されればステップＳ2に進む。ステップＳ2で、インカメラ６が駆動(オン)される。ステップＳ3で、インカメラ６で撮像された顔面画像データが認証部７に送出されて、ユーザ認証が行われる。
【００２９】
ステップＳ4で、上記認証部７によるユーザ認証結果を受けて、上記ユーザ認証結果は「良」であるか否かが判別される。その結果、「良」であればステップＳ6に進む一方、「不良」であればステップＳ5に進む。ステップＳ5で、表示デバイス１１を制御して、以下に詳述するような上記ロックオン処理の一例としての認証不良処理が実行された後に、ステップＳ6に進む。ステップＳ6で、インカメラ６が停止(オフ)される。そうした後、ユーザ認証処理動作が終了される。
【００３０】
本実施の形態においては、図３に示すユーザ認証処理動作の上記ステップＳ5で実行される「認証不良処理」については特定しないが、「パスコード入力画面」の表示や「データへのアクセス制限」や「機能制限」が設定された認証不良処理動作を起動すること等が
挙げられる。
【００３１】
図４は、上記「認証不良処理」におけるタッチパネル２の表示例を示す。尚、図４(a)では、単にタッチパネル２の表示画面をオフにして、表示内容が他人に見られないようにしている。図４(b)では、パスコード入力画面を表示して、パスコードの入力を要求している。図４(c)では、使用不可のメッセージを表示した後、表示画面をオフにしている。図４(d)では、アプリケーションのアイコン表示において、図４(f)の正常時の表示に対して「電話」と「メール」とのアイコンを黒塗りにして、機能制限を行っている。図４(e)では、「電話」と「メール」とのアイコンを削除して、機能制限を行っている。
【００３２】
上述のように、本実施の形態においては、上記側面センサ５への入力と認証部７による顔認証とを組み合わせることによって、本携帯端末装置のロック機能を掛けることなく机上に放置された場合や、ロック機能を掛ける間もなく他人の手に渡った場合でも、上記ユーザ認証結果が「不良」となって認証不良処理が実行される。したがって、ユーザ以外の人が本携帯端末装置の表示画面の表示内容を見たり、アプリケーションを起動させたりすることを防止して、確実にプライバシーを守ることができる。
【００３３】
その際に、上記認証部７による顔認証は、側面センサ５への入力が発生した場合(人が本携帯端末装置を手にした場合)に行うので、認証部７を常時起動させる必要はなく、消費電力の低減を図ることができる。
【００３４】
ところで、図３に示すユーザ認証処理動作の場合には、上記ステップＳ1で「側面センサ入力」が検出された場合のユーザ認証処理動作であるが、上記ステップＳ1で「側面センサ５へのタッチパターンの変化」を検出した場合も、図３と同様のフローチャートを適用することができる。ここで、「側面センサ５へのタッチパターンの変化」とは、操作者Ａから操作者Ｂへの変化や同一ユーザによる持ち手の変化の場合に生ずる側面センサ５へのタッチの仕方の変化である。
【００３５】
図５は、上記「側面センサ５へのタッチパターンの変化」を検出するタッチパターン変化検出処理のフローチャートである。また、図６は、本携帯端末装置が操作者Ａから操作者Ｂへ渡る様子を示す。以下、図５および図６に従って、タッチパターン変化検出処理について説明する。
【００３６】
ステップＳ1-1で、上記側面センサ５からの検知信号に基づいて、側面センサ入力が検出されたか否かが判別される。その結果、検出されればステップＳ1-2に進む。ステップＳ1-2で、側面センサ５からの検知信号に基づいて、図６(a)において矢印Ａで示す操作者Ａによるタッチ位置(Ａ)を、記憶部８内の作業メモリ等に記憶する。ステップＳ1-3で、タッチ位置(Ａ)での側面センサ入力が継続されているか否かが判別される。そして、継続されていればステップＳ1-4に進む一方、継続されていなければステップＳ1-1にリターンする。ステップＳ1-4で、タッチ位置(Ａ)以外の新たなタッチ位置(Ｂ)での側面センサ入力があるか否かが判別される。その結果、あればステップＳ1-5に進む一方、無ければステップＳ1-3にリターンする。
【００３７】
その場合、上記新たなタッチ位置(Ｂ)とは、図６(b)において矢印Ｂで示す操作者Ｂによるタッチ位置である。
【００３８】
ステップＳ1-5で、タッチ位置(Ａ)およびタッチ位置(Ｂ)での側面センサ入力が継続されているか否かが判別される。そして、継続されていなければステップＳ1-6に進む。一方、継続されていれば、継続されなくなるのを待つ。ステップＳ1-6で、タッチ位置(Ａ)での側面センサ入力が継続されているか否かが判別される。その結果、継続されていればステップＳ1-3にリターンする一方、継続されていなければステップＳ1-7に進む。
【００３９】
ステップＳ1-7で、タッチ位置(Ｂ)での側面センサ入力が継続されているか否かが判別される。その結果、継続されていればステップＳ1-8に進む一方、継続されていなければステップＳ1-1にリターンする。ステップＳ1-8で、タッチ位置がタッチ位置(Ａ)からタッチ位置(Ｂ)に変わったので、図６(c)に示すように、操作者が操作者Ａから操作者Ｂに変わったと認識される。そうした後、タッチパターン変化検出処理が終了される。
【００４０】
こうして、本携帯端末装置の操作者が操作者Ａから操作者Ｂに変わったので、以下において図３に示すユーザ認証処理動作のフローチャートにおける上記ステップＳ2〜上記ステップＳ6を実行するようにすれば、操作者Ｂによって本携帯端末装置の表示内容が見られたり、アプリケーションが起動されたりすることを防止できるのである。
【００４１】
尚、上述の説明では、操作者が操作者Ａから操作者Ｂに変わったとしているが、本携帯端末装置がユーザＡから他人Ｂによって奪われた場合でも同様である。また、図５に示すタッチパターン変化検出処理のフローチャートでは、厳密に操作者が変わる場合に限定されてはいない。例えば、同一ユーザが本携帯端末装置を左手から右手に持ち替えた場合とも考えられる。しかしながら、後者であっても、その後のユーザ検証処理によって同一ユーザであっても支障なく操作を続行することが可能である。したがって、図５のフローチャートにおいて、操作者が変わる場合か否かを厳密に区別しなくとも特に問題はない。
【００４２】
・第２実施の形態
上記第１実施の形態においては、机の上等に一旦置かれてタッチパネル２の表示画面が消えた状態の本携帯端末装置を、ユーザ等が手にした場合に付いて説明した。本第２実施の形態は、ユーザが手にしていた本携帯端末装置を手から離した場合のユーザ認証処理動作に関する。
【００４３】
本実施の形態における携帯端末装置の構成は、上記第１実施の形態の場合と同様であるから、説明を省略する。
【００４４】
図７は、ユーザが本携帯端末装置を手から離した場合に、制御部１０の制御の下に実行されるユーザ認証処理動作のフローチャートである。
【００４５】
ステップＳ11で、上記側面センサ５からの検知信号に基づいて、側面センサ入力が検出されたか否かが判別される。その結果、検出されなくなればステップＳ12に進む。ステップＳ12で、タッチパネル２における表示デバイス１１の画面が表示状態(表示画面がオン)であるか否かが判別される。その結果、画面表示がオンであればステップＳ13に進む。一方、画面表示がオンでなければステップＳ17に進む。
【００４６】
ステップＳ13〜ステップＳ17で、上記第１実施の形態における図３に示すフローチャートのステップＳ2〜ステップＳ6と同様にして、インカメラ６の駆動(オン),ユーザ認証,ユーザ認証結果が「不良」の場合の認証不良処理およびインカメラ６の停止(オフ)が実行される。但し、本ユーザ認証処理動作においては、ステップＳ15においてユーザ認証結果が「良」と判別された場合には、ステップＳ12にリターンして、ユーザ認証を継続するようにしている。そうした後、ユーザ認証処理動作が終了される。
【００４７】
以上のごとく、本実施の形態においては、ユーザが本携帯端末装置を手から離した場合であって、タッチパネル２の画面が表示状態である場合には、他者にタッチパネル２の表示内容を見られる可能性がある。そこで、その場合にはプライバシーの保護を優先して、インカメラ６によるユーザ認証を常時行うのである。
【００４８】
但し、本携帯端末装置に対するユーザの放置時間が所定時間を超過して、表示デバイス１１の画面表示が非表示状態になった場合には、直ちに上記ユーザ認証処理動作を終了するようにしている。したがって、本実施の形態では、消費電力の必要以上の増大を抑制することができるのである。
【００４９】
・第３実施の形態
上記第２実施の形態においては、ユーザが手にしていた本携帯端末装置を手から離した場合について説明した。本第３実施の形態は、机の上等に置かれてタッチパネル２の表示画面が消えた状態の本携帯端末装置が、側面センサ５に触れることなくタッチパネル２の画面が表示された場合のユーザ認証処理動作に関する。
【００５０】
本実施の形態における携帯端末装置の構成は、上記第１実施の形態の場合と同様であるから、説明を省略する。
【００５１】
図８は、机の上等に置かれてタッチパネル２の表示画面が消えた状態の本携帯端末装置において、制御部１０の制御の下に実行されるユーザ認証処理動作のフローチャートである。
【００５２】
ステップＳ21で、上記タッチパネル２における表示デバイス１１の表示画面が表示状態であるか否かが判別される。そして、側面センサ５に触れることなく画面表示が非表示状態(オフ)から表示状態(オン)になればステップＳ22に進む。
【００５３】
ステップＳ22〜ステップＳ26で、上記第１実施の形態における図３に示すフローチャートのステップＳ2〜ステップＳ6と同様にして、インカメラ６の駆動(オン),ユーザ認証,ユーザ認証結果の良否判別,認証不良処理およびインカメラ６の停止(オフ)が実行される。そうした後、ユーザ認証処理動作が終了される。
【００５４】
以上のごとく、本実施の形態においては、机の上等に置かれてタッチパネル２の表示画面が消えた状態の本携帯端末装置が、側面センサ５に触れることなくタッチパネル２の画面が表示された場合には、現在の使用者が誰であるか全く分からない。そこで、その場合には、インカメラ６によるユーザ認証を常時行うのである。
【００５５】
このように、上記タッチパネル２の画面が非表示状態から表示状態に変わった場合は、無条件で認証部７によるユーザ認証を行うので、ユーザ以外の人が使用している場合には直ちに上記認証不良処理を実行して、ユーザのプライバシーを保護することができる。さらに、認証部７を常時起動させる必要はなく、消費電力の低減を図ることができる。
【００５６】
ところで、本実施の形態の場合のように、机の上等に置かれてタッチパネル２の表示画面が消えた状態の本携帯端末装置が、側面センサ５に触れることなく突然タッチパネル２の画面が表示され場合としては、例えば次のような場合が考えられる。
【００５７】
(１)  本携帯端末装置に設けられている電源ボタン(図示せず)が押下された場合。尚、電源ボタンは、タッチパネル２に表示される上記ソフトキー以外の操作ボタン(キー)である。
(２)  上記タッチパネル２がタッチされた場合。
(３)  アラーム等のイベント発生によって、ユーザ通知のために自動的に画面が表示され場合。
【００５８】
ここで、上記(３)のイベント発生の場合には、図８に示す「机の上等に置かれてタッチパネル２の表示画面が消えた状態」でのユーザ認証処理動作のフローチャートを、図９のようなフローチャートに変形することができる。
【００５９】
図９は、机の上等に置かれてタッチパネル２の表示画面が消えた状態でメール受信のイベントが発生した場合における制御部１０の制御の下に実行されるユーザ認証処理動作のフローチャートである。
【００６０】
ステップＳ31で、イベントが発生したか否かが判別される。その結果、発生すればステップＳ32に進む。ステップＳ32で、インカメラ６が駆動される。ステップＳ33で、インカメラ６で撮像された顔面画像データが認証部７に送出されて、ユーザ認証が行われる。
【００６１】
ステップＳ34で、上記認証部７によるユーザ認証結果を受けて、上記ユーザ認証結果は「良」であるか否かが判別される。その結果、「良」であればステップＳ35に進む一方、「不良」であればステップＳ36に進む。ステップＳ35で、ユーザ認証結果は「良」である「認証良状態」を、記憶部８内の作業メモリ等に記憶する。そうした後、ステップＳ37に進む。ステップＳ36で、ユーザ認証結果は「不良」である「認証不良状態」を、記憶部８内の作業メモリ等に記憶する。
【００６２】
ステップＳ37で、上記インカメラ６が停止される。ステップＳ38で、タッチパネル２の表示画面がオンされ、上記作業メモリ等に記憶された「認証状態」に応じた画面が、表示デバイス１１に表示される。そうした後、ユーザ認証処理動作を終了する。
【００６３】
図１０は、図９に示すユーザ認証処理動作における上記ステップＳ38において上記「認証状態」に応じて表示デバイス１１に表示される画面の表示例を示す。但し、図１０(a)は、上記作業メモリ等に記憶された「認証状態」が「認証良状態」の場合に表示される画面である。この場合、本携帯端末装置を手にしているのはユーザであるから、受信したメール情報をそのまま表示している。また、図１０(b)は、上記「認証状態」が「認証不良状態」の場合に表示される画面である。この場合、本携帯端末装置を手にしているのはユーザではないので、単にメール着信のみを表示して、内容は表示しないのである。
【００６４】
このように、上記イベント発生によってタッチパネル２の画面が非表示状態から表示状態に変わった場合には、認証部７によるユーザ認証の結果に応じて「認証不良状態」の場合には、上記イベント発生の原因のみを表示し、内容は表示しないようにして、ユーザのプライバシーを保護することができるのである。
【００６５】
尚、上記各実施の形態においては、夫々異なる携帯端末装置であるとして説明しているが、一つの携帯端末装置でのユーザ認証処理動作における異なるサブルーチンであるとすることも可能である。
【００６６】
以上のごとく、この発明の携帯端末装置は、
筺体１と、
上記筺体１に設けられて外部からの接触を検知して検知信号を出力するセンサ５と、
上記筺体１に内蔵されて周囲を撮像するインカメラ６と、
予め登録された人物の顔の特徴画像データを格納する特徴格納部８と、
上記インカメラ６で撮像された顔画像と上記特徴格納部８に格納された特徴画像データとに基づいて、上記インカメラ６で撮像された顔の認証を行う認証部７と、
アイコンおよびメッセージ等を含む表示情報を表示画面に表示する表示部１１と、
上記センサ５からの検知信号および上記表示画面の表示状態の少なくとも何れかに基づいて、上記インカメラ６および上記認証部７を制御して、操作者の顔の認証を行う認証制御部１０と
を備えたことを特徴としている。
【００６７】
上記構成によれば、外部からの上記センサ５への接触を表す検知信号および上記表示画面の表示状態の少なくとも何れかに基づいて、上記認証部７による顔認証を行うので、本携帯端末装置のロック機能を掛けることなく机上に放置された場合や、ロック機能を掛ける間もなく他人の手に渡った場合には、操作者がユーザであるか否かを確認することができる。したがって、ユーザの確認結果が不良である場合には、上記表示画面の状態を「認識不良」に応じた状態にする、つまり上記表示画面を非表示状態にしたり、パスコードの入力要求画面にしたり、使用不可のメッセージ表示画面にしたり、アイコンの機能制限画面にしたり、「メール着信」のみの表示画面にしたりすることが可能になる。
【００６８】
すなわち、この発明によれば、本携帯端末装置のロック機能を掛けることなく机上に放置された場合や、ロック機能を掛ける間もなく他人の手に渡った場合であっても、煩雑な操作を行うことなく、ユーザ以外の人が本携帯端末装置の表示画面の表示内容を見たり、アプリケーションを起動させたりすることを防止して、確実にプライバシーを守ることができる。
【００６９】
その際に、上記認証部７による顔認証は、上記センサ５からの検知信号および上記表示画面の表示状態の少なくとも何れかに基づいて行うので、認証部７を常時起動させる必要はなく、消費電力の低減を図ることができる。
【００７０】
また、一実施の形態の携帯端末装置では、
上記認証制御部１０は、上記センサ５からの検知信号が、上記センサ５への接触を表す信号である場合、あるいは、上記センサ５への接触の仕方が変化したことを表す信号である場合に、操作者の顔の認証を行うようになっている。
【００７１】
この実施の形態によれば、上記センサ５からの検知信号が上記センサ５への接触を表す信号である場合、例えば、机の上等に一旦置かれて上記表示画面が消えた状態の本携帯端末装置を操作者が手にして上記検知信号が上記センサ５への接触を表す信号となった場合に、上記操作者の顔の認証が行われる。あるいは、上記センサ５からの検知信号が上記センサ５への接触の仕方が変化したことを表す信号である場合に、例えば操作者が操作者Ａから操作者Ｂに変化した場合や同一ユーザが持ち手を変えた場合に、上記操作者の顔の認証が行われる。
【００７２】
したがって、机の上等に一旦置かれて上記表示画面が消えた状態の本携帯端末装置を操作者が手にした場合や、本携帯端末装置が他人の手に渡った(他人に奪われた)場合であっても、確実にプライバシーを守ることができる。
【００７３】
また、一実施の形態の携帯端末装置では、
上記認証制御部１０は、上記センサ５からの検知信号が上記センサ５への非接触を表す信号であって、且つ上記表示画面が表示状態である場合に、操作者の顔の認証を行うようになっている。
【００７４】
この実施の形態によれば、上記センサ５からの検知信号が上記センサ５への非接触を表す信号であって、且つ上記表示画面が表示状態である場合、例えば、ユーザが本携帯端末装置を手から離した場合であって、且つ上記表示画面が表示状態である場合に、上記操作者の顔の認証が行われる。
【００７５】
したがって、ユーザが本携帯端末装置を手から離した場合であって、且つ上記表示画面が表示状態である場合であっても、確実にプライバシーを守ることができる。
【００７６】
また、一実施の形態の携帯端末装置では、
上記認証制御部１０は、上記センサ５からの検知信号が上記センサ５への非接触を表す信号であって、且つ上記表示画面が非表示状態から表示状態になった場合に、操作者の顔の認証を行うようになっている。
【００７７】
この実施の形態によれば、上記表示画面が非表示状態から表示状態になった場合、例えば、机の上等に置かれて上記表示画面が消えた状態の本携帯端末装置が、上記センサ５に触れることなく上記表示画面が表示状態になった場合に、上記操作者の顔の認証が行われる。
【００７８】
したがって、机の上等に置かれて上記表示画面が消えた状態の本携帯端末装置が、上記電源ボタンの押下やタッチパネル２へのタッチやイベント発生によって上記表示画面が表示状態になった場合であっても、確実にプライバシーを守ることができる。
【００７９】
また、一実施の形態の携帯端末装置では、
上記認証制御部１０は、上記認証部７の認証結果が不良の場合には、上記表示部１１を制御して、上記表示画面の状態を上記認証結果に応じた状態にするようになっている。
【００８０】
この実施の形態によれば、上記認証部７の認証結果が不良の場合には、上記表示部１１を制御して、上記表示画面の状態を上記認証結果に応じた状態にする、例えば上記表示画面を非表示状態にしたり、パスコードの入力要求画面にしたり、使用不可のメッセージ表示画面にしたり、アイコンの機能制限画面にしたり、「メール着信」のみの表示画面にしたり、することが可能になる。
【００８１】
すなわち、この実施の形態によれば、上記認証部７の認証結果が不良の場合には、ユーザ以外の人が本携帯端末装置の表示画面の表示内容を見たり、アプリケーションを起動させたりすることを防止して、確実にプライバシーを守ることができるのである。
【符号の説明】
【００８２】
１…筺体、
２…タッチパネル、
３…通話用マイク、
４…通話用スピーカ、
５…側面センサ、
６…インカメラ、
７…認証部、
８…記憶部、
９…通信部、
１０…制御部、
１１…表示デバイス、
１２…位置入力デバイス。
【図１】
2014110009.tif 000003
【図２】
2014110009.tif 000004
【図３】
2014110009.tif 000005
【図４】
2014110009.tif 000006
【図５】
2014110009.tif 000007
【図６】
2014110009.tif 000008
【図７】
2014110009.tif 000009
【図８】
2014110009.tif 000010
【図９】
2014110009.tif 000011
【図１０】
2014110009.tif 000012